【手続補正書】
【提出日】平成18年9月21日(2006.9.21)
【手続補正１】
【補正対象書類名】明細書
【補正対象項目名】特許請求の範囲
【補正方法】変更
【補正の内容】
【特許請求の範囲】
【請求項１】
複数のレンズ群を具備し、そのうちの一部のレンズ群を光軸と垂直な平面内を平行移動するように構成されたシフト可動部を有するレンズ鏡筒において、該レンズ鏡筒の固定部と前記シフト可動部との間に接続されるフレキシブル基板の前記シフト可動部側の取付け部に、動きの自由度を持たせるよう、直線部と曲げ部とを設けたことを特徴とするレンズ鏡筒。
【請求項２】
前記フレキシブル基板の前記シフト可動部側の取付け部に設けた前記直線部と前記曲げ部とにより、回転の自由度を持たせたことを特徴とする請求項１に記載のレンズ鏡筒。
【請求項３】
前記フレキシブル基板の前記シフト可動部側の取付け部に設けた前記直線部と前記曲げ部とにより、光軸方向の直線移動の自由度を持たせたことを特徴とする請求項１に記載のレンズ鏡筒。
【請求項４】
前記シフト可動部とは、前記光軸と垂直な平面内を平行移動するレンズ群及びその保持部材であることを特徴とする請求項１〜３のいずれか１項に記載のレンズ鏡筒。
【請求項５】
前記シフト可動部は、レンズ鏡筒に加わる振動に起因する像ぶれを補正する為の光学系であることを特徴とする請求項１〜４のいずれか１項に記載のレンズ鏡筒。
【手続補正２】
【補正対象書類名】明細書
【補正対象項目名】０００６
【補正方法】変更
【補正の内容】
【０００６】
【課題を解決するための手段】
上記目的を達成するために、本発明は、複数のレンズ群を具備し、そのうちの一部のレンズ群を光軸と垂直な平面内を平行移動するように構成されたシフト可動部を有するレンズ鏡筒において、該レンズ鏡筒の固定部と前記シフト可動部との間に接続されるフレキシブル基板の前記シフト可動部側の取付け部に、動きの自由度を持たせるよう、直線部と曲げ部とを設けたレンズ鏡筒とするものである。
【手続補正３】
【補正対象書類名】明細書
【補正対象項目名】０００７
【補正方法】削除
【補正の内容】
【手続補正４】
【補正対象書類名】明細書
【補正対象項目名】００２４
【補正方法】変更
【補正の内容】
【００２４】
２２Ｐは光軸に対して放射方向に２極に着磁された検出用磁石、２３Ｐは検出用磁石２２Ｐの光軸方向前側の磁束を閉じる為のヨークであり、両者はシフト鏡筒１５に固定されている。２４Ｐは磁束密度を電気信号に変換するホール素子であり、センサベース１７に位置決め固定されている。以上の構成により位置検出手段を成している。
【手続補正５】
【補正対象書類名】明細書
【補正対象項目名】００３２
【補正方法】変更
【補正の内容】
【００３２】
２５はコイル２０Ｐ及びホール素子２４Ｐを電気的に外部回路と接続させるための可撓性を有するフレキシブル基板であり、折り返し部２５ａで二つに折り返され（図４では２５ａの部分で二つに分けて描いている）、実装部２６Ｐの光軸方向の前側にはホール素子２４Ｐが実装されている。また、折り返された部分はさらに３個所の曲げを介して先端部２７Ｐに至り、その一部に形成された穴部２８Ｐは、シフト鏡筒１５に形成されたピン２９Ｐにピン周りに回転自在に嵌合固定され、先端部２７Ｐに設けられたランド部３０Ｐ及び３１Ｐにコイル２０Ｐの両端子がそれぞれ半田付けされる。３２はフレキシブル基板２５をセンサベース１７に固定する為の押さえ板であり、ビス１本によりセンサベース１７に固定されている。
【手続補正６】
【補正対象書類名】明細書
【補正対象項目名】００３４
【補正方法】変更
【補正の内容】
【００３４】
図８（ａ）は曲げる前の形である。センサベース１７に固定される部分には穴３３Ｐと長穴３４Ｐが長手方向に並んでいる。センサベース１７には、前記穴３３Ｐと長穴３４Ｐに対応する部分にそれぞれピンが形成されており、穴３３Ｐによりフレキシブル基板２５の位置が、長穴３４Ｐにより固定部分からの出だしの方向が、それぞれ決められる。尚、穴３３Ｐ及び長穴３４Ｐ間の曲げ部分は押さえ板３２によりセンサベース１７に押さえられる。第１の直線部３５Ｐ及び第２の直線部３７Ｐは曲げ部３６Ｐで曲げられ、略９０度の角度を成している。シフト鏡筒１５の縦方向及び横方向の動きは、第１の直線部３５Ｐ及び第２の直線部３７Ｐの面長手方向の撓みにより吸収される。
【手続補正７】
【補正対象書類名】明細書
【補正対象項目名】００３５
【補正方法】変更
【補正の内容】
【００３５】
フレキシブル基板２５の先端部２７Ｐは先に説明したようにシフト鏡筒１５のピン２９Ｐ（図３，図４参照）にその穴２８Ｐが嵌合されるが、ピン２９Ｐは段付きピンとなっており先端部２７Ｐは抜けない形状となっている。また、先端部２７Ｐは更にその出っ張り部３８Ｐ、３９Ｐが、シフト鏡筒１５の受け面とある間隔をもって形成された庇の下に嵌り込む事によって、ある範囲内でのピン２９Ｐ周りの回転の自由度を持って外れないようになっている。
【手続補正８】
【補正対象書類名】明細書
【補正対象項目名】００３６
【補正方法】変更
【補正の内容】
【００３６】
ここで、曲げ部３６Ｐは長手方向に対して正確に９０度（図８参照）の角度に曲げられている場合には、先端部２７Ｐの穴部２８Ｐはピン２９Ｐの位置に来るので、フレキシブル基板２５の第１の直線部３５Ｐ及び第２の直線部３７Ｐには不自然な変形は起きないが、曲げ部３６Ｐが長手方向に対して９０度からずれて曲げられた場合には、先端部２７Ｐの穴部２８Ｐとピン２９Ｐの位置は光軸方向に曲げが傾いている分だけずれてしまう事になる。このとき先端部２７Ｐが曲げのずれ分だけ回転可能なので、第１の直線部３５Ｐ及び第２の直線部３７Ｐの捩じれにより、曲げ部３６Ｐの曲げのずれを吸収する事ができる。もしも、先端部２７Ｐが回転できない構造だと、曲げ部３６Ｐの曲げにずれがあると第１の直線部３５Ｐ及び第２の直線部３７Ｐに容易に曲がらない長手幅方向の曲げ（図８（ｂ）中矢印Ｃ及びＤ）が働いてシフト鏡筒１５は光軸方向に強く押え付けられて、摺動部分の摩擦の増加により可動部の動きを悪くしてしまうという問題が発生する。
【手続補正９】
【補正対象書類名】明細書
【補正対象項目名】００３７
【補正方法】変更
【補正の内容】
【００３７】
また、センサベース１７との固定部分の結合部分の押さえ板３２の押えがずれてフレキシブル基板２５の出だし方向が若干ずれても、ピン２９Ｐに対する穴部２８Ｐの光軸方向の位置がずれるので、先端部２７Ｐの回転によってフレキシブル基板２５による光軸方向の発生力が緩和される。他の構成例として、図１１に示すように、ピン２９Ｐに対して穴部２８Ｐ’のように光軸方向の長穴とすることでも、フレキシブル基板２５による光軸方向の発生力が同様に緩和される。
【手続補正１０】
【補正対象書類名】明細書
【補正対象項目名】００４７
【補正方法】変更
【補正の内容】
【００４７】
上記の実施の形態によれば、複数のレンズ群より成り、そのうちの一部のレンズ群（Ｌ３）を光軸と垂直な平面内を平行移動するようにしたレンズ鏡筒において、固定部であるセンサベース１７と可動部であるシフト鏡筒１５（Ｌ３も含む）との間に接続されるフレキシブル基板２５の前記シフト鏡筒１５側の取付け部（図８や図１１の先端部２７Ｐ（２７Ｙ））に動きの自由度を、具体的には図８のように回転の自由度もしくは図１１のように光軸方向の直線移動の自由度を持たせてフレキシブル基板２５による発生力を低減するようにしたことにより、シフト案内部の摩擦力が低減され、シフト可動部をより微小に駆動制御することが可能となる。